(57)【要約】【課題】多数の蛍光灯を使用しても全体のコストを安価にすること。また、蛍光灯自体の温度が高温にならない蛍光灯を使用し、蛍光灯自体の温度上昇を防止して、陳列している商品への温度の影響を無くすこと。【解決手段】棚４の上面に商品８を陳列する什器本体１を設け、前記商品８の照明用の蛍光灯１０を前記棚４の要部に配設する。前記蛍光灯１０に、ガラス管の内部に電極を有さず、電極はガラス管の両端の外部に設けられていて、前記ガラス管の外側から放電させて光らせるタイプの蛍光灯であるＥＥＦＬランプと称される蛍光灯を用いている。【選択図】図２
2007157463.tif 000002
【特許請求の範囲】
【請求項１】
棚（４）の上面に商品（８）を陳列する什器本体（１）を設け、
前記商品（８）の照明用の蛍光灯（１０）を前記棚（４）の要部に配設し、
前記蛍光灯（１０）に、ガラス管の内部に電極を有さず、電極はガラス管の両端の外部に設けられていて、前記ガラス管の外側から放電させて光らせるタイプの蛍光灯であるＥＥＦＬランプと称される蛍光灯を用いていることを特徴とする什器の棚用照明システム。
【請求項２】
前記什器本体（１）に複数の棚（４）を設け、前記各棚（４）に前記蛍光灯（１０）をそれぞれ配設していることを特徴とする請求項１に記載の什器の棚用照明システム。
【請求項３】
前記複数の蛍光灯（１０）に対して、該蛍光灯（１０）を点灯駆動させるためのインバータ装置（１５）は１台であることを特徴とする請求項２に記載の什器の棚用照明システム。
【請求項４】
前記インバータ装置（１５）は、前記什器本体（１）の棚（４）以外の箇所に設けていることを特徴とする請求項３に記載の什器の棚用照明システム。
【発明の詳細な説明】
【技術分野】
【０００１】
本発明は、商品陳列用の什器に配設する什器の棚用照明システムに関するものである。
【背景技術】
【０００２】
この種の商品陳列用の什器に配設する什器の棚用照明システムとしては、例えば、下記に示す特許文献１がある。
【０００３】
【特許文献１】特開２００３−１６８３０号公報
【０００４】
図１２は上記特許文献１に示されているような什器本体１の正面図を示し、図１３は該什器本体１の側面図を示している。この什器本体１は、ベース２と、このベース２の後部の両側にそれぞれ立設されている支柱３と、この支柱３に図外のブラケットなどにて配置されている複数段の棚４と、この棚４の背面側に配置されている平板状の背面板５とで構成されている。
なお、この什器本体１に設けられている棚４の段数は、例えば、５段としている。この各棚４の上面に任意の商品が多数陳列されるようになっている。
【０００５】
そして、什器本体１の各棚４の下面の前部には、陳列している商品を照明するための照明器具５１がそれぞれ配置されている。図１４はかかる従来の照明器具５１の平面図を示しており、この照明器具５１は、直管状の蛍光灯５２と、この蛍光灯５２を保持すると共に、該蛍光灯５２を点灯させるためのインバータ装置５３を内蔵させた金属製のケース５４と、このケース５４の側面より導出されていて、先端にプラグ５５を設けている電源コード５６等で構成されている。
【０００６】
什器本体１の棚４に設置する従来の照明器具５１は、基本的には蛍光灯５２と、この蛍光灯５２を点灯させるためのインバータ装置５３とが対となっている構成である。そのため、図１３に示すように、各棚４に照明器具５１を設置する場合には、照明器具５１の電源コード５６を棚４の下面側に這わせて配線を行ない、一方の支柱３に長手方向に設けたレールコンセント６０にプラグ５５を差し込んで照明器具５１への電源の供給を行なっていた。なお、レールコンセント６０には図外のコードが導出されていて、該コードの先端に設けてあるプラグを商用電源に接続されるようになっている。
【０００７】
上記の什器本体１に設置している照明器具５１には以下に示すように多くの問題を有している。
すなわち、照明器具５１は上述したように、１本の蛍光灯５２に対して１台のインバータ装置５３を必要とし、この蛍光灯５２とインバータ装置５３とが対なっており、そのため、照明器具５１自体のコストが高いという問題があった。しかも、蛍光灯５２は、蛍光管内にフィラメント（電極）を備えたタイプのものであり、蛍光灯５２を点灯させてしばらくすると、手で触れないくらい高温になってしまう。そのため、棚４に陳列する商品によって、例えば化粧品の口紅の場合では、口紅と蛍光灯５２との間の距離が短いと口紅が溶けたり、又は変色してしまうという問題があった。この蛍光灯の高温化は、蛍光灯に例陰極蛍光ランプ（ＣＣＦＬ）を用いても同様である。
よって、商品と蛍光灯５２の間の距離をある程度遠ざける必要があり、上下の棚４間の距離を多くとることになって、棚４の数が少なくせざるを得ないという問題が生じていた。
【０００８】
さらには、従来使用されている照明器具５１の蛍光灯５２は、Ｔ５管またはＴ６管といわれている蛍光灯であり、この蛍光灯５２の直径は約２０ｍｍほどあり、そのため、照明器具５１自体の厚み（照明器具５１を棚４に設置した場合の上下方向の寸法）も約２０ｍｍとなり、ユーザーからの薄型化の要求に答えられていないのが現状であった。
この照明器具５１の厚みと、上記の蛍光灯５２の高温の理由により上下の棚４間の寸法を大きくとらざるを得ず、そのため、図１２の場合などでは、棚４の数を６段にして多くの商品を陳列したい場合でも、５段の棚数にせざるを得ないという問題があった。
【０００９】
また、一般の家庭用に使用されている蛍光灯の場合と同様の内部にフィラメントを有するタイプの蛍光灯５２を使用していたため、この蛍光灯５２の寿命は通常６０００時間〜８０００時間であるので、フィラメントの劣化による寿命が比較的短いという問題があった。この蛍光灯５２の寿命が短いということは、メンテナンスも頻繁に生じ、特に、多数の什器本体１と配置している場合には、それだけ蛍光灯５２の数も多数にのぼり、蛍光灯５２のメンテナンスが煩雑になってしまうことになる。
【００１０】
また、各照明器具５１にそれぞれインバータ装置５３が対となって内蔵されているため、インバータ装置５３に不具合が発生した場合、棚４に陳列している多数の商品を取り除いて棚４から照明器具５１を取り外す必要があり、この作業が大変なものであった。特に、１つの什器本体１に２つ以上の照明器具５１のインバータ装置５３に不具合が発生した場合には、照明器具５１の取り外しに多大の労力が必要であった。
【００１１】
さらに、内部にフィラメントを有する蛍光灯５２自体の消費電力も、電球と比べた場合は低いものの、多数の蛍光灯５２を使用するので、全体としての消費電力は多くなってしまうという問題もある。
【発明の開示】
【発明が解決しようとする課題】
【００１２】
本発明は上述の問題点に鑑みて提供したものであって、少なくとも以下の目的を持った什器の棚用照明システムを提供するものである。
（１）多数の蛍光灯を使用しても全体のコストを安価にすること。
（２）蛍光灯自体の温度が高温にならない蛍光灯を使用し、蛍光灯自体の温度上昇を防止して、陳列している商品への温度の影響を無くすこと。
（３）従来の蛍光灯より直径の小さい蛍光灯を使用して、棚間の寸法を短くして、棚数を多く配置できるようにすること。
（４）内部に電極（フィラメント）を有しない蛍光灯を用いることで、蛍光灯自体の寿命を長くし、メンテナンスなどの煩雑さを防止すること。
（５）多数の蛍光灯を使用しても全体の消費電力を抑えて、従来と比べて省エネルギー化を図ること。
（６）蛍光灯を点灯させるためのインバータ装置に不具合が発生した場合でも、棚の商品を取り除くなどの作業を無くしたメンテナンスフリー化を図ること。
【課題を解決するための手段】
【００１３】
そこで、本発明の請求項１に記載の什器の棚用照明システムでは、棚４の上面に商品８を陳列する什器本体１を設け、前記商品８の照明用の蛍光灯１０を前記棚４の要部に配設し、前記蛍光灯１０に、ガラス管の内部に電極を有さず、電極はガラス管の両端の外部に設けられていて、前記ガラス管の外側から放電させて光らせるタイプの蛍光灯であるＥＥＦＬランプと称される蛍光灯を用いていることを特徴としている。
【００１４】
請求項２に記載の什器の棚用照明システムでは、前記什器本体１に複数の棚４を設け、前記各棚４に前記蛍光灯１０をそれぞれ配設していることを特徴としている。
【００１５】
請求項３に記載の什器の棚用照明システムでは、前記複数の蛍光灯１０に対して、該蛍光灯１０を点灯駆動させるためのインバータ装置１５は１台であることを特徴としている。
【００１６】
請求項４に記載の什器の棚用照明システムでは、前記インバータ装置１５は、前記什器本体１の棚４以外の箇所に設けていることを特徴としている。
【発明の効果】
【００１７】
本発明の請求項１に記載の什器の棚用照明システムによれば、蛍光灯１０自体の表面温度は手で触わっても少し温かい程度の温度であり、そのため、蛍光灯１０に商品８、例えば化粧品の口紅を近づけて陳列しても、口紅が溶けたり、変色するということもなく、よって、上下の棚４間の寸法を短くでき、従来と同じ上下方向の什器本体１の場合、例えば、棚４の数を５段から６段へと増加させることができる。このため、多くの商品８を什器本体１に陳列することができる。また、この蛍光灯１０の外径は、例えば、約５ｍｍと小さいので、従来厚みが約２０ｍｍほどあったのが、コネクタやケースなどを含めても約１０ｍｍの厚みで形成でき、そのため、照明器具としての装置を薄型化することができる。さらに、ＥＥＦＬランプと呼ばれる蛍光灯１０は、約４万時間と寿命が長く、従来と比べて約５倍長持ちでき、そのため、メンテナンスも非常に楽となる。さらに、蛍光灯１０の消費電力も一般の蛍光灯と比べても低く、省エネルギー化を図ることができる。
【００１８】
請求項２に記載の什器の棚用照明システムによれば、什器本体１に複数の棚４を設け、前記各棚４に前記蛍光灯１０をそれぞれ配設していることで、棚４の数が増えても全体としての消費電力も抑えることができ、什器本体１全体として省エネルギー化を図ることができる。
【００１９】
請求項３に記載の什器の棚用照明システムによれば、従来においては、１本の蛍光灯に対して１台のインバータ装置が必要であったが、複数の蛍光灯１０に対して、該蛍光灯１０を点灯駆動させるためのインバータ装置１５は１台であり、そのため、多数の蛍光灯１０を使用しても、照明システム全体のコストを安価にすることができる。
【００２０】
請求項４に記載の什器の棚用照明システムによれば、インバータ装置１５は、前記什器本体１の棚４以外の箇所に設けているので、インバータ装置１５に不具合が発生した場合でも、従来のように棚４から多数の商品を降ろして作業をする必要がなく、メンテナンスフリー化を図ることができる。特に、インバータ装置１５に不具合が発生した場合では、棚４に陳列している多数の商品８を降ろすことなく、インバータ装置１５の修理、補修、交換等の作業が非常に簡便となる。
【発明を実施するための最良の形態】
【００２１】
以下、本発明の実施の形態を図面を参照して詳細に説明する。なお、什器本体１自体は従来例と同様の構成であり、同一の機能を発揮する要素には同一の番号を付して詳細な説明は省略する。
【００２２】
本発明に使用する蛍光灯は、例えば、特許第３６２２０３２号に記載されている蛍光ランプであり、この蛍光ランプは、ガラス管の内部に電極（フィラメント）を有さず、電極はガラス管の両端の外部に設けられており、ガラス管の外側から放電させて光らせるタイプの直管状の蛍光灯（以下、ＥＥＦＬランプと称する。）である。
このＥＥＦＬランプ（External Electrode Fluorescent Lamp ）は、管径が５ｍｍであり、長さも５０ｃｍ前後から１ｍ前後であり、また、図１に示すように、１本のＥＥＦＬランプ１０を点灯させるのに、１台のインバータを必要とせず、１台のインバータ装置１５にて１０本〜１５本のＥＥＦＬランプ１０を点灯可能となっている。
【００２３】
なお、図１ではＥＥＦＬランプ１０の数を６本としているが、これは図２及び図３に示す什器本体１の棚４の段数を６段とした場合に合わせているからである。ＥＥＦＬランプ１０の両端には、該ＥＥＦＬランプ１０の両端の外部に設けられている電極と接触して導通を図るソケット１１が着脱自在にそれぞれ装着されている。
各ＥＥＦＬランプ１０のソケット１１はコード１２にて渡り配線を行なっており、インバータ装置１５からのコード１３が最寄り（例えば、最下段の棚４に設置されるＥＥＦＬランプ１０）のＥＥＦＬランプ１０のソケット１１に接続されるようになっている。また、インバータ装置１５には電源装置１６から直流電源が供給され、この電源装置１６から導出されている電源コード１７は商用電源に接続される。
【００２４】
ここで、什器本体１の各棚４に設置される多数のＥＥＦＬランプ１０に対して、インバータ装置１５が１台、電源装置１６が１台の構成となっている。なお、インバータ装置１５と電源装置１６とを一体化して１台の装置を構成するようにしても良い。
【００２５】
また、本発明で用いているＥＥＦＬランプ１０は、点灯時のガラス管の表面温度は約４０℃以下であり、手で触っても少し温かい程度であり、従来の蛍光灯５２のように高温にはならない。さらに、従来の蛍光灯５２と比べて消費電力は３０％ほど低電力であり、省エネルギー化を図っている。さらに、ＥＥＦＬランプ１０の寿命に関しては、４万時間程度であり、従来の蛍光灯５２と比べると、約５倍の長寿命化を達成している。そのため、ランプ交換などのメンテナンス性に非常に優れていて、メンテナンス費用が安価になる。
【００２６】
図２はＥＥＦＬランプ１０を配設した場合の什器本体１の正面図を示し、図３は什器本体１の側面図を示しており、什器本体１の各棚４の下面の前部にＥＥＦＬランプ１０を配置した場合を示している。図３に示すように、各ＥＥＦＬランプ１０のソケット１１間をコード１２にて接続するためにコネクタ２０を介して行なっている。なお、コネクタ２０は什器本体１の支柱３の側面に配置し、各ソケット１１からのコード１２は棚４の下面及び支柱３の側面に沿わせて配線している。
【００２７】
また、インバータ装置１５及び電源装置１６は、什器本体１の例えば、ベース２内の空間部分に外部から目立たないように納装している。特に、インバータ装置１５は従来とは異なり棚４以外の部分に配置するようにしている。なお、図３においては、二点鎖線に示すようにインバータ装置１５及び電源装置１６はベース２内に配置しているが、実線に示すように什器本体１の近傍にインバータ装置１５や電源装置１６を配置するようにしても良い。
【００２８】
図４及び図５はＥＥＦＬランプ１０の取り付け構造を示しており、棚４の下面の前部両側に、断面を略Ω状の保持具２２をネジ等にて固定している。この保持具２２は、弾性を有しており、材料としては、例えば合成樹脂製、金属製であり、ＥＥＦＬランプ１０の両端のソケット１１を下方から保持具２２内に嵌め込むことで、ソケット１１が保持具２２にて確実に挟持され、ＥＥＦＬランプ１０が保持具２２から容易に脱落しない構造となっている。
【００２９】
なお、ソケット１１の外径は、例えば１０ｍｍ程度のものを用いており、ソケット１１を含めたＥＥＦＬランプ１０の全体の厚み（什器本体１の上下方向における寸法）は、ソケット１１の厚みとなり、１０ｍｍである。
これは、従来の照明器具５１の約２０ｍｍの厚みと比べた場合、約半分の厚みとなり、非常に薄型化を達成している。
【００３０】
図６は棚４に商品８を陳列した状態を示している。なお、図示の上側の棚４には２本のＥＥＦＬランプ１０を配置した場合を示し、下側の棚４には１本のＥＥＦＬランプ１０を配置した場合を示しているが、各棚４の配置するＥＥＦＬランプ１０の数は任意に配置するものである。
ＥＥＦＬランプ１０の点灯時（発光時）におけるガラス管の表面の温度は手で触っても温かい程度の温度のため、高温にて溶け易い例えば、化粧品の口紅をＥＥＦＬランプ１０に近づけて陳列しても、口紅が溶けて変形したり、変色するということもない。
【００３１】
このように、ＥＥＦＬランプ１０に陳列する商品８を近づけても熱的な弊害がないことと、ＥＥＦＬランプ１０のソケット１１の厚み（１０ｍｍ）を考慮した場合、什器本体１の棚４の段数を従来では５段がギリギリであったのを、本発明では、同じ高さの什器本体１の場合では、棚４の数を６段にすることができる。そのため、同じ高さの什器本体１において、多くの商品８を陳列することができるものである。
【００３２】
ところで、ＥＥＦＬランプ１０は上述したように管径が非常に細い（約５ｍｍ）ので、棚４に設置する場合に折損し易い。そこで、図７及び図８に示すように、透明な合成樹脂製の円筒状の保護カバー２４にてＥＥＦＬランプ１０の全体を覆うようにしている。
すなわち、保護カバー２４の内径をＥＥＦＬランプ１０のソケット１１の外径とほぼ同じとし、保護カバー２４の両端に弾性を有する留め具２５を着脱自在に嵌着して、ＥＥＦＬランプ１０を保護カバー２４内にて保持するようにしている。なお、留め具２５にはソケット１１からのコード１２を挿通させる穴（図示せず）を設けてある。
【００３３】
このＥＥＦＬランプ１０を什器本体１の棚４に設置する場合、図４及び図５に示す保持具２２にて保持するものである。すなわち、保持具２２は保護カバー２４の大きさに対応させた大きさであり、保護カバー２４の部分を保持具２２内に挿入することで、保持具２２にて保護カバー２４が確実に挟持固定されることになる。
この保護カバー２４を持って保持具２２に装着するので、ＥＥＦＬランプ１０は容易に折損することはない。また、保護カバー２４は透明としているので、照度も劣化することもない。なお、保護カバー２４を透明としているが、任意の色彩を着色して、任意の色の光を陳列している商品８に照射するようにしても良い。
【００３４】
図９〜図１１は保護カバーの他の実施形態を示し、この実施形態では、下面を開口した偏平な箱状の保護カバー２６としている。透明な保護カバー２６の下面には、２本のＥＥＦＬランプ１０を並設し、図４及び図５に示すような保持具にて、ＥＥＦＬランプ１０自体あるいはソケット１１の部分を保持するようにしたものである。
かかる保護カバー２６の厚み寸法（図９のＬ）は、ソケット１１の外径とほぼ同じ１０ｍｍとしている。この場合でも、従来の照明器具５１の場合と比べて約半分の厚み寸法となっている。なお、図示例では、ＥＥＦＬランプ１０を２本配置した場合を示しているが、１本のＥＥＦＬランプ１０の場合や、ＥＥＦＬランプ１０を３本以上配置するようにしても良いのはもちろんである。
【００３５】
このように本実施形態では、蛍光灯１０自体の表面温度は手で触わっても少し温かい程度の温度であり、そのため、蛍光灯１０に商品８、例えば化粧品の口紅を近づけて陳列しても、口紅が溶けたり、変色するということもなく、よって、上下の棚４間の寸法を短くでき、従来と同じ上下方向の什器本体１の場合、例えば、棚４の数を５段から６段へと増加させることができる。このため、多くの商品８を什器本体１に陳列することができる。また、この蛍光灯１０の外径は、例えば、約５ｍｍと小さいので、従来厚みが約２０ｍｍほどあったのが、コネクタやケースなどを含めても約１０ｍｍの厚みで形成でき、そのため、照明器具としての装置を薄型化することができる。さらに、ＥＥＦＬランプと呼ばれる蛍光灯１０は、約４万時間と寿命が長く、従来と比べて約５倍長持ちでき、そのため、メンテナンスも非常に楽となる。さらに、蛍光灯１０の消費電力も一般の蛍光灯と比べても低く、省エネルギー化を図ることができる。
【００３６】
また、什器本体１に複数の棚４を設け、前記各棚４に前記蛍光灯１０をそれぞれ配設していることで、棚４の数が増えても全体としての消費電力も抑えることができ、什器本体１全体として省エネルギー化を図ることができる。
さらには、従来においては、１本の蛍光灯に対して１台のインバータ装置が必要であったが、複数の蛍光灯１０に対して、該蛍光灯１０を点灯駆動させるためのインバータ装置１５は１台であり、そのため、多数の蛍光灯１０を使用しても、照明システム全体のコストを安価にすることができる。
【００３７】
また、インバータ装置１５は、前記什器本体１の棚４以外の箇所に設けていることで、例えば、什器本体１のベース２内の空間部分や什器本体１の近傍に配置するようにしていることで、インバータ装置１５に不具合が発生した場合でも、従来のように棚４から多数の商品を降ろして作業をする必要がなく、メンテナンスフリー化を図ることができる。特に、インバータ装置１５に不具合が発生した場合では、棚４に陳列している多数の商品８を降ろすことなく、インバータ装置１５の修理、補修、交換等の作業が非常に簡便となる。
【図面の簡単な説明】
【００３８】
【図１】本発明の実施の形態におけるＥＥＦＬランプとインバータ装置間の配線接続を示す図である。
【図２】本発明の実施の形態における什器本体の正面図である。
【図３】本発明の実施の形態における什器本体の側面図である。
【図４】本発明の実施の形態におけるＥＥＦＬランプの設置方法を示す図である。
【図５】本発明の実施の形態におけるＥＥＦＬランプの設置方法を示す図である。
【図６】本発明の実施の形態におけるＥＥＦＬランプと商品の陳列状態を示す図である。
【図７】本発明の実施の形態におけるＥＥＦＬランプに保護カバーを設けた場合の図である。
【図８】本発明の実施の形態におけるＥＥＦＬランプに保護カバーを設けた場合の断面図である。
【図９】本発明の実施の形態における保護カバーの他の例を示す斜視図である。
【図１０】本発明の実施の形態における保護カバーの他の例を示す要部側面図である。
【図１１】本発明の実施の形態における保護カバーの他の例を示す平面図である。
【図１２】従来例の什器本体の正面図である。
【図１３】従来例の什器本体の側面図である。
【図１４】従来例の照明器具の平面図である。
【符号の説明】
【００３９】
１  什器本体
４  棚
８  商品
１０  蛍光灯（ＥＥＦＬランプ）
１５  インバータ装置
【図１】
2007157463.tif 000003
【図２】
2007157463.tif 000004
【図３】
2007157463.tif 000005
【図４】
2007157463.tif 000006
【図５】
2007157463.tif 000007
【図６】
2007157463.tif 000008
【図７】
2007157463.tif 000009
【図８】
2007157463.tif 000010
【図９】
2007157463.tif 000011
【図１０】
2007157463.tif 000012
【図１１】
2007157463.tif 000013
【図１２】
2007157463.tif 000014
【図１３】
2007157463.tif 000015
【図１４】
2007157463.tif 000016